(57)【要約】  電子部品を覆う部品収納部１３とディスプレイ収納空間１４を形成してなるインナーカバー１２を有するディスプレイ装置本体２と、このディスプレイ装置本体２のディスプレイ収納空間１４に回動可能に支持されるディスプレイ３とを備えるディスプレイ装置１において、前記ディスプレイ３と前記ディスプレイ装置本体２側の電子部品とを接続するフラットケーブル３１を前記ディスプレイ３側の組立品とする一方、前記インナーカバー１２の前記ディスプレイ収納空間１４の天井面１５に化粧カバー３５を取り外し可能に取り付けてなる部品組付け構造。
2010004672.tif 000002
【特許請求の範囲】
【請求項１】
電子部品が搭載されるベース部材と当該ベース部材を覆うインナーカバーとからなり、かつ前記インナーカバーには、前記電子部品を覆う部品収納部とディスプレイを収納するディスプレイ収納空間が形成されてなるディスプレイ装置本体と、前記ディスプレイ装置本体のディスプレイ収納空間に収納され、かつヒンジ機構を介して前記ディスプレイ装置本体の前記ベース部材に回動可能に支持されるディスプレイとを備えるディスプレイ装置において、
前記ディスプレイと、前記ディスプレイと前記ディスプレイ装置本体側の電子部品を接続する配線とを組立品とする一方、前記インナーカバーの前記ディスプレイ収納空間の天井面に化粧カバーを取り外し可能に取り付けてなることを特徴とするディスプレイ装置の部品組付け構造。
【請求項２】
前記配線はフラットケーブルであり、前記ディスプレイの前記ヒンジ機構により支持される側に接続され、前記フラットケーブルは、前記化粧カバーに沿って前記インナーカバーの部品収納部側に導かれて前記部品収納部側と接続されることを特徴とする請求項１記載のディスプレイ装置の部品組付け構造。
【発明の詳細な説明】
【技術分野】
【０００１】
この発明は、ディスプレイ装置における部品の組付け構造に関する。
【背景技術】
【０００２】
近年の乗用車では、後部座席の乗員のために、テレビ、ＤＶＤ、ゲームなどのためのディスプレイ装置が設置されるものがある。３列シートや対面シートなどを備えている車両においては、ディスプレイ装置は車両の天井に備えられる。このようなディスプレイ装置は、ディスプレイ装置本体とこのディスプレイ装置本体に対し回動可能なディスプレイ（モニタ）とからなる。ディスプレイは、ディスプレイ装置本体に対し所定の角度に保持して使われる。【０００３】
ディスプレイは、ディスプレイに設けられたシャフトをブラケットで支持し、ブラケットを、ディスプレイ装置本体側のベースに固定する構造となっている。ディスプレイ装置本体側には、ディスプレイのコントローラが組付けられ、このコントローラに接続するフラットケーブルがディスプレイ側に接続される。【０００４】
ところで、このようなディスプレイ装置には複数種の色彩が用意され、車両の内装の色に合わせて選択される。しかし、必ずしも用意してある色彩の数と要求のある色彩の数が同じとなるわけではない。従って、要求が１つの色彩に偏った場合には他の色彩をその色彩に流用できるようにしておくことが望ましい。その方法として、ディスプレイ装置を共通色部分と固有の色彩部分（グレー、ベージュなど）とで構成し、固有の色彩部分を変えられるようにするのである。その場合、その色彩部分の取替えは容易に行えるようになっていることが望ましい。固有の色彩部分としては、ディスプレイ及びディスプレイが収納されるディスプレイ装置本体側の空間の天井面が該当する。つまり、これらの部分を必要に応じ色彩を変更することが求められている。ディスプレイ装置本体側の空間の天井面の色彩を変更する方法としては、ディスプレイ収納空間の天井面を張り替えることが考えられる。【０００５】
しかし、ディスプレイ装置におけるフラットケーブルのディスプレイ側への接続は、ディスプレイフロントとディスプレイカバーとからなるディスプレイにおけるディスプレイカバーを外した状態でフラットケーブルをディスプレイフロントの基板に接続し、ディスプレイフロントをねじでディスプレイ装置本体に取り付けた後、ディスプレイフロントにディスプレイカバーを組付ける構造となっており、ディスプレイ装置本体側のディスプレイ収納空間の天井面を張り替えるにはディスプレイをディスプレイ装置本体から取り外さなければならず、作業が煩雑となる（特許文献１）。
【先行技術文献】
【特許文献】
【０００６】
【特許文献１】特開２００３−３２３１２６号公報
【０００７】
この発明は、このような問題点を解決するためになされたもので、ディスプレイ装置において、ディスプレイを外すことなく、ディスプレイ装置本体におけるディスプレイ収納空間天井面の色彩を変えられるようにすることを目的とする。
【発明の概要】
【０００８】
この発明に係るディスプレイ装置の部品組付け構造は、電子部品が搭載されるベース部材と当該ベース部材を覆うインナーカバーとからなり、かつ前記インナーカバーには、前記電子部品を覆う部品収納部とディスプレイを収納するディスプレイ収納空間が形成されてなるディスプレイ装置本体と、前記ディスプレイ装置本体のディスプレイ収納空間に収納され、かつヒンジ機構を介して前記ディスプレイ装置本体の前記ベース部材に回動可能に支持されるディスプレイとを備えるディスプレイ装置において、前記ディスプレイと、前記ディスプレイと前記ディスプレイ装置本体側の電子部品を接続する配線とを組立品とする一方、前記インナーカバーの前記ディスプレイ収納空間の天井面に化粧カバーを取り外し可能に取り付けてなる部品組付け構造である。
【０００９】
この発明に係るディスプレイ装置の部品組付け構造によれば、化粧カバーを取り外し可能としてあるので、色彩の変更に容易に対応できる。また、ディスプレイと配線とを組立品（アッシー）としたので、ディスプレイの交換が容易となり、組付け性も良くなる。
【図面の簡単な説明】
【００１０】
【図１】実施の形態１に係る部品組付け構造を採用したディスプレイ装置の、ディスプレイを開いた状態の側面に沿う概略断面図である。
【図２】実施の形態１に係る部品組付け構造を採用したディスプレイ装置の、ディスプレイを閉じた状態の側面に沿う概略断面図である。
【図３】実施の形態１に係る部品組付け構造の分解斜視図である。
【発明を実施するための形態】
【００１１】
以下、この発明をより詳細に説明するために、この発明を実施するための形態について、添付の図面に従って説明する。
実施の形態１
実施の形態１は、この発明を、車両の天井面に設置されるディスプレイ装置に適用したものである。図１及び図２は、実施の形態１に係るディスプレイ装置の側面に沿う概略断面図で、図１は、ディスプレイを開いた状態、図２は、ディスプレイを閉じた状態をそれぞれ示す。図３は、実施の形態１に係るディスプレイ装置の分解斜視図である。
【００１２】
ディスプレイ装置１は、図１及び図２に示すように、ディスプレイ装置本体２と、ディスプレイ装置本体２に対し開閉可能に組付けられたディスプレイ３とからなる。このディスプレイ装置１は、車両のルーフ４の内側に設けられるルーフライニング５に取り付けられる。ルーフライニング５に設けられた取付穴６にディスプレイ装置本体２を嵌め込みねじ止めするなどして取り付けられる。
【００１３】
ディスプレイ装置本体２は、金属製で板状のベース部材１１にディスプレイ３の操作に必要な電子部品（コントローラなどの回路基板）などを組付け、それらをインナーカバー１２で覆った構造となっている。インナーカバー１２は、ベース部材１１上の電子部品等を覆う部品収納部１３と、ディスプレイ３を収納する凹状のディスプレイ収納空間１４とからなっている。インナーカバー１２におけるディスプレイ収納空間１４の天井面１５の四隅には、クリップ通し穴１６が設けられ、ベース部材１１における、クリップ通し穴１６と同じ位置にはクリップ係合穴１７がそれぞれ設けられている。インナーカバー１２は、例えばプラスチックなどで成形される。インナーカバー１２は、車両の内装であるルーフライニング５などの色に係わらず共通の色、例えば黒色とされる。
【００１４】
ディスプレイ３の基端部側の両側面にはシャフト１８が突出し、シャフト１８は、ホルダ（ブラケット）１９に回転可能に支持される。ホルダ１９は、ディスプレイ装置本体２のベース部材１１にねじなどにより固定される。シャフト１８、ホルダ１９によりディスプレイ３を回動可能に支持するヒンジ機構２０が構成されている。ディスプレイ３の一方の面は液晶による表示部３ａとなっている。ヒンジ機構２０により支持されていることによりディスプレイ３は、図２に示すようにディスプレイ収納空間１４に収められた収納状態から、図１に示すように所定の角度開いた使用状態とすることができる。図示はされていないが、ヒンジ機構２０には、クリック機構が備わっており、ディスプレイ３を、１つ又は複数の所定箇所で位置決め保持可能となっている。
【００１５】
インナーカバー１２の部品収納部１３からディスプレイ収納部１４に向けてラッチ２１が設けられている。ラッチ２１はばねにより弾力的に出入り可能となっている。部品収納部１３の表面には、操作ボタン２２が設けられており、この操作ボタン２２を押すことによりラッチ２１は、部品収納部１３側に引き込まれるようになっている。一方、ディスプレイ３の回動側の端面には、ラッチ係合穴２３が設けられている。ディスプレイ３を閉じたとき、ラッチ係合穴２３にラッチ２１が嵌合し、ディスプレイ３は閉状態に保持される。操作ボタン２２を押してラッチ２１をラッチ係合穴２３から引き抜くことによりディスプレイ３は回動可能となる。
【００１６】
ディスプレイ３の基端部（ヒンジ機構２０で支持される側）には、配線としてフラットケーブル３１が予めアッシーとして組付けられている。フラットケーブル３１は、ディスプレイ３の内部の所定の箇所に接続させて組み立てられている。フラットケーブル３１の長さは、所定の取り回しにより後述するコネクタに接続できる長さとされる。フラットケーブル３１の先端はコネクタに接続する端子部３１ａとなっている。このように、ディスプレイ３はフラットケーブル３１を備えた組立品となっている。
【００１７】
一方、ディスプレイ装置本体２側において、インナーカバー１２のディスプレイ収納空間１４の天井面１５には、コネクタ３２が設けられる。このコネクタ３２には、部品収納部１３につながるコントローラ側のプリント基板３３に実装されている。なお、インナーカバー１２の部品収納部１３と反対側の端部近くには、フラットケーブル３１を案内するための案内部３４が形成されている。
【００１８】
ディスプレイ収納空間１４の天井面１５には化粧カバー３５が取り付けられる。化粧カバー３５は、その四隅に備わっているクリップ３６をインナーカバー１２に設けられたクリップ通し穴１６及びベース部材１１に設けられたクリップ係合穴１７に通しかつベース部材１１に係合させることにより天井面１５に対し装着される。フラットケーブル３１は、インナーカバー１２の天井面１５と化粧カバー３５との間に収まる。
【００１９】
このような構造のディスプレイ装置１を組み立てるには、先ず、組立品であるディスプレイ３の基端部側両側面のシャフト１８を支持するホルダ１９をディスプレイ装置本体２のベース部材１１に固定する。次いで、フラットケーブル３１をインナーカバー１２の案内部３４に沿わせてインナーカバー１２の部品収納部１３側に導き、先端の端子部３１ａをコネクタ３２に結合する。この後、化粧カバー３５をディスプレイ収納空間１４の天井面１５に取り付ける。化粧カバー３５の取り付けは、ディスプレイ３を開いた状態にし、化粧カバー３５の一端側をディスプレイ３の基端部と天井面１５との間に差し込んで化粧カバー３５の全面を天井面１５に沿わせ、化粧カバー３５の四隅のクリップ３６をインナーカバー１２のクリップ通し穴１６、ベース部材１１のクリップ係合穴１７に通し、クリップ３６をベース部材１１に係合させることによりなされる。
【００２０】
上記のように組立てた後、ディスプレイ３は閉じられ、ディスプレイ収納空間１４に収納される。ディスプレイ収納空間１４にディスプレイ３が収められると、ラッチ係合穴２３にラッチ２１が嵌合し、ディスプレイ３は閉状態で保持される。
【００２１】
上述のように組み立てられるディスプレイ装置１において、化粧カバー３５を別の色彩のものに取り替える場合には、取り付けられている化粧カバー３５のクリップ３６をベース部材１１から外して化粧カバー３５を取り外す。次いで、別の色彩の化粧カバー３５を取り付ける。別の色彩の化粧カバー３５の取り付けは前述同様、ディスプレイ３を開いた状態にし、化粧カバー３５の一端側をディスプレイ３の基端部と天井面１５との間に差し込んで化粧カバー３５の全面を天井面１５に沿わせ、化粧カバー３５の四隅のクリップ３６をインナーカバー１２のクリップ通し穴１６、ベース部材１１のクリップ係合穴１７に通し、ベース部材１１に係合させることによりなされる。
【００２２】
この実施の形態１に係るディスプレイ装置の部品組付け構造によれば、化粧カバー３５を取り外し可能としてあるので、色彩の異なる化粧カバー３５への変更が容易となる。また、ディスプレイ３とフラットケーブル３１とを組立品としたので、ディスプレイ３の交換が容易となる。つまり、ディスプレイ３も色彩の異なるものに容易に変えることができる。ディスプレイ３とフラットケーブル３１とを組立品としたことから、ディスプレイ装置本体２とは別に前段階でディスプレイ３のアッシー作業が可能となるので、組付け性も良くなる。
【００２３】
実施の形態１では、ディスプレイ３側のフラットケーブル３１とディスプレイ装置本体２の部品収納部１３側との接続を行うコネクタ３２を、天井面１５において部品収納部１３近くに設けているが、コネクタ３２の設定位置は上述に限定されることなく、他の位置に設定することもできる。
【産業上の利用可能性】
【００２４】
以上のように、この発明に係るディスプレイ装置の部品組付け構造は、ディスプレイ装置において、ディスプレイを外すことなく、ディスプレイ装置本体におけるディスプレイ収納空間天井面の色彩を変えられるようにするために、電子部品が搭載されるベース部材と当該ベース部材を覆うインナーカバーとからなり、かつ前記インナーカバーには、前記電子部品を覆う部品収納部とディスプレイを収納するディスプレイ収納空間が形成されてなるディスプレイ装置本体と、前記ディスプレイ装置本体のディスプレイ収納空間に収納され、かつヒンジ機構を介して前記ディスプレイ装置本体の前記ベース部材に回動可能に支持されるディスプレイとを備えるディスプレイ装置において、前記ディスプレイと、前記ディスプレイと前記ディスプレイ装置本体側の電子部品を接続する配線とを組立品とする一方、前記インナーカバーの前記ディスプレイ収納空間の天井面に化粧カバーを取り外し可能に取り付けてなる部品組付け構造としたので、乗用車に設置されるディスプレイ装置の部品組付け構造などに用いるのに適している。
【図１】
2010004672.tif 000003
【図２】
2010004672.tif 000004
【図３】
2010004672.tif 000005
【国際調査報告】
2010004672.tif 000006
2010004672.tif 000007
2010004672.tif 000008
2010004672.tif 000009